(57)【特許請求の範囲】
【請求項１】
蓋掛止3a部を設けた高耐圧力鍋蓋3を装着した垂直回転自在に開閉する圧力鍋蓋ケース3bと、  鍋取手2bと鍋掛止2a部をそれぞれ設けた高耐圧力鍋2を炊飯器ケース1aに内設し  前記高耐圧力鍋2本体を水平回転させることにより蓋掛止部と鍋掛止部が掛止固定  及び  解除する事を特徴とする垂直回転自在開閉蓋を有する高耐圧力水平回転掛止鍋構造炊飯器。
【請求項２】
高耐圧力鍋2側部に鍋回転用ギア12を、  又  炊飯器ケース1a側に電動ウォームギア13を設け  電動ウォームギア13の回転力によって前記高耐圧力鍋2本体を水平回転させ掛止固定  及び  解除する事を特徴とする請求項1記載の垂直回転自在開閉蓋を有する高耐圧力水平回転掛止鍋構造炊飯器。
【請求項３】
高耐圧力鍋2側部に鍋回転用ギア12を、  又  炊飯器ケース1a側に電動ギア14を設け前記電動ギア14の回転力により高耐圧力鍋2本体を水平回転させ掛止固定  及び  解除する事を特徴とする請求項1記載の垂直回転自在開閉蓋を有する高耐圧力水平回転掛止鍋構造炊飯器。
【請求項４】
高耐圧力鍋2側部に鍋回転用ギア12を  又  炊飯器ケース1a側に複数の凸歯付電動押引棒15を設け  前記鍋回転用ギア12に前記複数の凸歯付電動押引棒15の複数の凸歯を噛み合わせ  前記複数の凸歯付電動押引棒15の押引力により前記高耐圧力鍋2本体を水平回転させ掛止固定  及び  解除する事を特徴とする請求項1記載の垂直回転自在開閉蓋を有する高耐圧力水平回転掛止鍋構造炊飯器。
【請求項５】
高耐圧力鍋2の一側方の炊飯器ケース1aに電動シリコンゴムローラー16aを  他側方の炊飯器ケース1aに遊転シリコンゴムローラー16bを設け、前記高耐圧力鍋2本体を前記電動シリコンゴムローラー16aの押圧回転により水平回転させ掛止固定  及び  解除する事を特徴とする請求項1記載の垂直回転自在開閉蓋を有する高耐圧力水平回転掛止鍋構造炊飯器。
【請求項６】
高耐圧力鍋2の温度表示装置を設けた事を特徴とする請求項1記載の垂直回転自在開閉蓋を有する高耐圧力水平回転掛止鍋構造炊飯器。
【請求項７】
高耐圧力鍋蓋3と圧力鍋蓋ケース3bの間部に圧力鍋蓋嵌外固定自在手段を複数個設けた事を特徴とする請求項1記載の垂直回転自在開閉蓋を有する高耐圧力水平回転掛止鍋構造炊飯器。
【請求項８】
加熱パワーコントローラーで高耐圧力鍋2内の温度を128度C以下に制御炊飯することで外部へ殆ど水蒸気を排出しない請求項1記載の垂直回転自在開閉蓋を有する高耐圧力水平回転掛止鍋構造炊飯器。
【発明の詳細な説明】
【技術分野】
【０００１】
従来の炊飯器同様 蓋開閉用ヒンジを介して垂直回転自在に開閉する炊飯器蓋を設けながら高圧力高温度で極旨ご飯を炊く高耐圧力水平回転掛止鍋構造炊飯器に関するものである。
【背景技術】
【０００２】
テレビコマーシャルを見て期待をしながら圧力炊飯器を購入し、一般市販のブレンド米を炊飯試食、ぱさぱさで噛んでいると舌の上にざらざら感が残るご飯しか炊けなく大きな期待はずれであった。
そこで昔の羽釜を出してきて、かまどを再現して反った蓋は削って修正し前記一般市販のブレンド米を炊飯試食を繰り返し行ったなかでは、  蓋の上に重石を載せて炊飯をした時が一番コシヒカリの新米の食感(米一粒一粒の表面に光沢が有り、舌触り、噛み応え、弾力性、噛めば噛むほど口中に広がる甘み等)に近いご飯が炊ける事が解った。
従来の圧力炊飯器では、一般市販のブレンド米をぱさぱさのご飯にしか炊けない原因は炊飯時の圧力と炊飯温度が低い事にあった。
【０００３】
従来の圧力炊飯器の構造は鍋と蓋を鍋内圧に耐えるように、炊飯器ケースと蓋ケースに設けた蓋開閉用ヒンジと蓋開き止めキャッチで構成されていたがこの構造では最高圧力  約１．５気圧(絶対圧、以下絶対圧で記す)以上には上げられなかった  なぜならば、蓋開閉用ヒンジ  及び  蓋開き止めキャッチの構造がそれ以上の圧力に耐えられない為であった。
【０００４】
そこで従来の調理用圧力鍋を使用して一般市販ブレンド米を一回目は２．４１気圧の高圧で炊飯、  二回目は１．６８気圧の中圧で炊飯し試食をしたら、  一回目の高圧炊飯の食味感は最高だったが、二回目の中圧炊飯の食味感は、米粒の弾力性が弱い、米粒の艶が無い、噛んで崩れた米粒が舌の上でざらざら感が有る、噛んでいても甘味が少ない等高圧炊飯の方が良い事は明らかだが一般の調理用圧力鍋は蓋の開閉が大変不便であり炊飯中調圧錘弁から蒸気が屋内に充満するし熱源監視の為付きっ切りで居なければならない。  又、保温装備が無い等の欠点があった。
しかし、上記欠点を解消する為の技術があった(例えば文献１及び文献２参照)が前記文献技術にも大きな欠点があった。
【０００５】
１．圧力釜の安全装置の殆どが蓋体に装備されるものであり、蓋の締め付け及び解除機能を蓋に設けている為  蓋体の構造が複雑且つコスト高となる。
２．鍋内加圧時誤開防止装置が大変貧弱である。
３．鍋内加圧時の外部表示が設けられてない。
４．蓋体に保温用熱源装備がない為高品位保温ができない。
【特許文献１】実開平４−０３６９２５号広報
【０００６】
1.圧力釜とその蓋を弾性締り止めし  前記圧力釜内圧が上昇すれば圧力釜が下方に変位しその変位分で加熱電源スイッチの接点をON OFFする構造であるが長年使用している過程で前記弾性締り止め部位の経年変化により機能低下し、単なる蒸気漏れ事故ぐらいではなく大事故に至る事も考えられる構造である。
【特許文献２】特開２０００−０５１０７７号広報
【発明の開示】
【発明が解決しようとする課題】
【０００７】
解決しようとする問題点は、従来の一般市販炊飯器の構造では炊飯時の圧力、温度を一定以上上げられないので米のα化が進まず、一般市販米  特に古米等のブレンド米はぱさぱさのご飯となる。
【課題を解決するための手段】
【０００８】
本発明では、従来の圧力炊飯器のように鍋と蓋にパッキンを挟んで合わせるだけでなく圧力鍋の上部周辺を外側に、又  圧力鍋蓋の周辺を内側にそれぞれ六個所づつ折り曲げて掛止部を設けてパッキンを挟んで、通常保温時は炊飯器ケース１ａと圧力鍋蓋ケース３ｂの間部に水平方向に設けた圧力鍋蓋ケース３ｂ開閉用ヒンジ（図示省略）を介して前記圧力鍋蓋ケース３ｂは垂直回転自在に開閉しご飯を取り出すが、  炊飯時は炊飯器ケース１ａに内設された圧力鍋ケース６に高耐圧力鍋２を収めて  高耐圧力鍋蓋３ｂ装着固定された圧力鍋蓋ケース３ｂを閉じたままの状態で鍋取手２ｂを鍋取手炊飯時位置２ｂｂ（図１、図２、図３の右側）まで移動、  つまり高耐圧力鍋２本体を３０度水平回転する事によって鍋掛止２ａと蓋掛止３ａが掛止固定状態となり高耐圧力構造として圧力は２．４５気圧、温度は１２８度Ｃまで上げて安全に米の一粒一粒の芯まで高α化炊飯を図る。
【０００９】
又  高耐圧力鍋２の内部圧２．４５気圧を、前記高耐圧力鍋2の鍋掛止２ａとパッキン8、それから高耐圧力鍋蓋3の蓋掛止３ａのみで受けとめ、 炊飯器ケース１ａと圧力鍋蓋ケース３ｂに設けた圧力鍋蓋ケース３ｂ開閉用ヒンジ（図示省略）及び炊飯器蓋開き止めキャッチ１１には一切かからない構造とする。
【発明の効果】
【００１０】
炊飯時鍋内圧力を２．４５気圧  炊飯温度を１２８度Ｃまで上げて昔の羽釜の蓋の上に重石を載せた状態を再現炊飯し、一定の条件を満たしたときに熱源を止めても保温、保圧が続き（鍋内温度は当分の間、大気中沸騰温度が続く）炊飯状態（米のα化）が進み短時間加熱で炊飯ができて省エネでありご飯粒一粒一粒の芯までα化され表面に光沢があり、舌触りが良く弾力が有り噛み応えが良く噛めば噛むほど口中に甘みが広がるもちもちご飯ができる。
【００１１】
炊飯中に高耐圧力鍋２の底部に設けた鍋温度センサー（図示省略）が１００度Ｃを感知したらその温度がしばらく続くよう炊飯兼保温熱源（図示省略）のパワーを加熱パワーコントローラ（図示省略）で制御してから停止すれば、焼き飯やカレーに適したご飯も炊ける、つまり外部に水蒸気を発散せずにもちもちご飯からぱらぱらご飯まで加熱パワーコントローラ（図示省略）のインプット情報のみで炊き分けができる炊飯器である。
【００１２】
もともと米の品種には、ジャポニカ米とインディカ米が有るがジャポニカ米は白いご飯で食べるもちもちご飯タイプで、インディカ米はご飯に味付けをして食べる焼き飯やカレー等にむいているが、日本人の好みはジャポニカ米白ご飯タイプである、本発明ではもちもち白御飯が食べたい時には高圧高温度で炊飯する、焼き飯やカレーの時は過熱パワーコントローラで温度を制御することによって圧力も同時に制御でき、低圧低温度炊飯ができるのでぱらぱらご飯も炊くことができる。
又  筋肉や魚の骨まで柔らかくなる高圧高温煮込み料理もできる
【００１３】
又  水蒸気がほとんど出ない段階で熱源を制御、及び停止するので炊飯水(米の吸収する水分だけなので)が少なくてよく、家屋内に水蒸気を発散しないので屋内湿度が上がらない。
【発明を実施するための最良の形態】
【００１４】
以下本発明に係る垂直回転自在開閉蓋を有する高耐圧力水平回転掛止鍋構造炊飯器１を図１から図１１に基づいて説明する。
【実施例】
【００１５】
先ず図１は、垂直回転自在開閉蓋を有する高耐圧力水平回転掛止鍋構造炊飯器１の右側面図で上部が圧力鍋蓋ケース３ｂ、下部が炊飯器ケース１ａで炊飯器蓋開き止めキャッチ１１を上方へ引き上げると圧力鍋蓋ケース３ｂは図１右上部に水平方向に設けてある圧力鍋蓋ケース３ｂ開閉用ヒンジ（図示省略）を介してＣ−Ｃ部、Ｄ−Ｄ部から右上方（垂直）へ開き、矢印下方Ｃ−Ｃが高耐圧力鍋２及び炊飯器ケース１ａの図３である、 又、矢印上方Ｄ−Ｄが高耐圧力鍋蓋３及び圧力鍋蓋ケース３ｂの図４である。
【００１６】
ここから高耐圧力鍋２を取り出して適量の炊飯米と水を入れ圧力鍋ケース６に高耐圧力鍋２の鍋取手２ｂを保温時位置（図１，図２，図３の左側）に合わせて収め、圧力鍋蓋ケース３ｂを炊飯器蓋開き止めキャッチ１１が掛かるまで閉めて、鍋取手２ｂを鍋取手炊飯時位置２ｂｂ（図１、図２、図３の右側炊飯時位置）までスライド（高耐圧力鍋２を３０度水平回転）すると鍋掛止２ａ部と蓋掛止３ａ部が掛止固定され、炊飯の準備が完了する。
【００１７】
ここで炊飯兼保温熱源に電流を印加すると高耐圧力鍋2の温度が上がると同時に圧力も上昇し  この前記圧力が加圧時圧力鍋蓋誤開防止安全ロック手段アーム１０ｂの圧力鍋蓋誤開防止安全ロック手段アーム支持ピン１０ｂｂより右側の一部と加圧表示ピン１０ｃ及び加圧時圧力鍋蓋誤開防止安全ロック手段ピストン１０ａの重量に打ち勝った時に前記加圧時圧力鍋蓋誤開防止安全ロック手段ピストン１０ａが押し上げられると同時に加圧時圧力鍋蓋誤開防止安全ロック手段アーム１０ｂ下端が鍋掛止２ａ部にかかり加圧表示ピン１０ｃが圧力鍋蓋ケース３ｂの上へ突出する、これで高耐圧力鍋２の内部圧が大気圧と同圧に戻るまでは高耐圧力鍋２と高耐圧力鍋蓋３は絶対に開かない。
【００１８】
又  高耐圧力鍋２の内部圧がもし２．４５気圧を超えた場合調圧手段錘弁４ａが作動して大気中へ逃がすものであるが、本発明ではこの調圧手段錘弁４ａが作動する寸前に炊飯兼保温熱源（図示省略）への供給電源を加熱パワーコントローラ（図示省略）で制御するので大気中へ蒸気の吹き出しがほとんどない。
もし、加熱パワーコントローラ手段や調圧手段４に異常が起こって内部圧が上昇した場合には安全弁９が作動し大気中へ放出減圧する。
【００１９】
保温時内外気連通手段アーム５は、鍋取手２ｂが図１、図２、図３の左側保温位置、つまり高耐圧力鍋保温時内外気連通手段アーム当りブラケット２ｃが保温時内外気連通手段アーム調整ネジ５ａを介して前記保温時内外気連通手段アーム５を押し上げ、調圧錘弁４ａを押し上げて内外気を連通する。
【００２０】
高耐圧力鍋２、高耐圧力鍋蓋３は、鍋全体への熱伝導性鍋内外部への保温性に有利なステンレス＋アルミニュウム＋ステンレスのクラッド材とし、炊飯器ケース１ａ、圧力鍋蓋ケース３ｂは耐熱樹脂とする、パッキン８はシリコンゴムとし本図形状で内圧が上がれば上がるほど密着性が向上する、必要あれば調圧手段錘弁圧力設定錘４ｂで圧力設定変更（設定圧力を下げる）も可能である。
【００２１】
請求項２では  高耐圧力鍋２の側面の一部に鍋回転用ギア１２を設け  前記鍋回転用ギア１２にモーター（図示省略）と連動した電動ウォームギア１３で前記高耐圧力鍋２を水平に３０度回転させ掛止固定及び解除するものである。
請求項３では  高耐圧力鍋２の側面の一部に鍋回転用ギア１２を設け  前記鍋回転用ギア１２にモーター（図示省略）と連動した電動ギア１４で前記高耐圧力鍋２を水平に３０度回転させ掛止固定及び解除するものである。
請求項４では  高耐圧力鍋２の側面の一部に鍋回転用ギア１２を設け  前記鍋回転用ギア１２にモーター（図示省略）と連動した複数の凸歯付電動押引棒１５で前記高耐圧力鍋２を水平に３０度回転させ掛止固定及び解除するものである。
【００２２】
請求項５では高耐圧力鍋２の一側方にモーター（図示省略）と連動した電動シリコンゴムローラー１６ａaを他側方に遊転シリコンゴムローラー１６ｂを設け前記高耐圧力鍋２の側面に前記電動シリコンゴムローラー１６ａを押圧回転により前記高耐圧力鍋２を水平に３０度回転させ掛止固定及び解除するものである。
請求項６では  高耐圧力鍋２の底部中央に設けた温度センサー（図示省略）と連結してコントロールパネルに設けた鍋温度表示装置（図示省略）に炊飯中、蒸らし中、保温中、煮込み中等の温度を表示するものである。
請求項７では  圧力鍋蓋ケース３ｂから高耐圧力鍋蓋３を簡単に嵌外して洗浄できる構造としたものである。
又  高耐圧力鍋２の３０度水平回転（掛止及び解除）を請求項２、請求項３、請求項４、請求項５では電動としたものである。
請求項８では  高耐圧力鍋２内の温度を前記高耐圧力鍋２下部中央に設けた温度センサーの情報により１２８度C以下、圧力２．４５気圧以下で調圧手段錘弁４ａから蒸気が噴出するまえに加熱パワーコントローラーで制御して炊飯を行うため  家屋内へ水蒸気を発散させない炊飯器である。
【図面の簡単な説明】
【００２３】
【図１】垂直回転自在開閉蓋を有する高耐圧力水平回転掛止鍋構造炊飯器の右側面図である
【図２】垂直回転自在開閉蓋を有する高耐圧力水平回転掛止鍋構造炊飯器の上視図である
【図３】図１のＣ−Ｃ部の図である
【図４】図１のＤ−Ｄ部の図である
【図５】図２、図３、図４のＡ−Ａ部断面図である
【図６】図２、図３、図４のＢ−Ｂ部断図である
【図７】高耐圧力鍋２の一部断面と鍋回転用ギア１２及び電動ウォームギア１３の図である
【図８】高耐圧力鍋２の一部断面と鍋回転用ギア１２及び電動ギア１４（一部歯図を省略）の図である
【図９】高耐圧力鍋２の一部断面と鍋回転用ギア１２及び複数の凸歯付電動押引棒１５の図である
【図１０】高耐圧力鍋２の一部断面と電動シリコンゴムローラー１６ａ及び遊転シリコンゴムローラー１６ｂの図である
【図１１】高耐圧力鍋蓋３、圧力鍋蓋ケース３ｂの一部拡大断面図と鍋蓋嵌外固定用ボール１７とその弾性ブッシュ１８の断面図である
【００２４】
炊飯器上部の圧力鍋蓋ケース３ｂと炊飯器ケース１ａに設けた前記圧力鍋蓋ケース３ｂ開閉用ヒンジ、コントロールパネルに設けた温度表示装置、鍋回転用電動モーター、加熱パワーコントローラ及び高耐圧力鍋２の下部に設けた炊飯兼保温熱源とその中央に設けた鍋温度センサーの図示を省略する
【符号の説明】
【００２５】
１     垂直回転自在開閉蓋を有する高耐圧力水平回転掛止鍋構造炊飯器本体
１ａ   炊飯器ケース
２     高耐圧力鍋
２ａ   鍋掛止  
２ｂ   鍋取手
２ｂｂ 鍋取手炊飯時位置
２ｃ   高耐圧力鍋保温時内外気連通手段アーム当りブラケット  
３     高耐圧力鍋蓋
３ａ    蓋掛止
３ｂ   圧力鍋蓋ケース
【００２６】
３ｂｂ 通気穴
４     調圧手段
４ａ   調圧手段錘弁
４ｂ  調圧手段錘弁圧力設定錘
５     保温時内外気連通手段アーム
５ａ   保温時内外気連通手段アーム調整ネジ
５ａａ 内外気連通手段アーム支持ピン
６     圧力鍋ケース
７     圧力鍋蓋保温熱源
８     パッキン
９    安全弁
【００２７】
１０    加圧時圧力鍋蓋誤開防止安全ロック手段
１０ａ  加圧時圧力鍋蓋誤開防止安全ロック手段ピストン
１０ｂ  加圧時圧力鍋蓋誤開防止安全ロック手段アーム
１０ｂｂ加圧時圧力鍋蓋誤開防止安全ロック手段アーム支持ピン
１０ｃ   加圧表示ピン
１１    炊飯器蓋開き止めキャッチ  
１１ａ  炊飯器蓋開き止めキャッチ支持ピン
１２  鍋回転用ギア
１３  電動ウォームギア
１４  電動ギア
１５  複数の凸歯付電動押引棒
１６ａ電動シリコンゴムローラー
１６ｂ遊転シリコンゴムローラー
１７  鍋蓋嵌外固定用ボール
１８  鍋蓋嵌外固定用弾性ブッシュ
【図１】
0004478989.tif 000002
【図２】
0004478989.tif 000003
【図３】
0004478989.tif 000004
【図４】
0004478989.tif 000005
【図５】
0004478989.tif 000006
【図６】
0004478989.tif 000007
【図７】
0004478989.tif 000008
【図８】
0004478989.tif 000009
【図９】
0004478989.tif 000010
【図１０】
0004478989.tif 000011
【図１１】
0004478989.tif 000012